(57)【特許請求の範囲】
【請求項１】
囲炉裏の炉箱の底に、軽量不燃断熱材を薄鋼板で包んだ軽量不燃断熱層を備え、軽量不燃断熱層の上に耐火発泡固形断熱基板を重ね、前記耐火発泡固形断熱基板の上表面を灰で覆った移動及び固定の兼用可能な囲炉裏において、前記耐火発泡固形断熱基板の上面に、串差込用の孔を複数設け、前記孔は前記串の下端の位置が前記孔内の上下方向で変化して、前記串の囲炉裏内における角度が変化できるのに十分な大きさとし、前記孔内に砂を充填することで前記串を安定して配置したことを特徴とする囲炉裏。
【発明の詳細な説明】
【技術分野】
【０００１】
本発明は、囲炉裏の構造に関して、炉箱の底に軽量不燃断熱材を薄鋼板で包んだ軽量不燃断熱層を備え、軽量の耐火発泡固形断熱基板を重ね、表面を灰で覆って隠ぺいする。前記により全体を軽量化させ、移動用キャスターで移動を容易にした低床囲炉裏であり、床掘り込み固定式にも兼用可能な囲炉裏に関するものである。
【０００２】
また本発明は、耐火発泡固形断熱基板の上面に串差込用の孔を複数設ける。食材を焼く時、前記孔は前記串の下端の位置が前記孔内の上下方向で変化して、前記串の囲炉裏内における角度が変化できるのに十分な大きさとし、前記孔内に砂を充填することで前記串を安定して配置した、囲炉裏に関するものである。
【背景技術】
【０００３】
可搬式の囲炉裏の場合、燃焼火熱防御策等において、炉箱を金属板で深めに製作し内部の土と灰の量を多くする構造、あるいは耐火材、レンガ等を用いて炉の容器を保護する等の構造であるが、前記各構成材料を用いた場合比重の大きさから見て囲炉裏全体が重くなり、移動や持ち運びに難がある。合わせて、床面から炉縁天端まで高くなる感がある。
【０００４】
串（食材）を灰に差して焼く場合、炉内部を相応の深さにする必要があり、長い串を用いて倒れを防ぐ、若しくは囲炉裏内に串受け金具を用いているのが現状である。
【０００５】
以上の点から、床面から炉縁天端まで高い場合と、串受け金具を置いて串焼きする情景は、日本文化特有である囲炉裏の風情を損なっていると言える。
【０００６】
床掘り込み式（古来の囲炉裏）囲炉裏をマンション等の居室に設置する場合、炉その物が深いと床下の構造体スラブを一部大きく下げる必要があり、下階の天井高さ等に影響する。よって、階高さを大きくする必要があり、建築設計条件に大きく関係する階高さ確保の点で制約を受ける。換気設備の問題もあるが、一般的に設置していないのが現状である。
【０００７】
本発明は、この様な問題点を考慮した囲炉裏である。
【特許文献１】特開２０００−１７１０３９（Ｐ２０００−１７１０３９Ａ）公報
【特許文献２】特開２０００−２５７８６３（Ｐ２０００−２５７８６３Ａ）公報
【非特許文献１】発行所  株式会社  地球丸  「薪ストーブと囲炉裏の本」２００２年３月１０日初版
【発明の開示】
【発明が解決しようとする課題】
【０００８】
囲炉裏全体の重量を軽減し移動を容易にするには、炉箱内部の構成材料を比重の小さい材質にする必要がある。
【０００９】
炭火燃焼火熱対策として、囲炉裏表面より上方向にその大半を放熱させる様にし、囲炉裏表面より逆方向（下方向）への透過熱は、囲炉裏の底部不燃板への到達時点で微熱にする事を前提に、囲炉裏内部を断熱性能の高い構成材料とする必要がある。
【００１０】
串（食材）を灰に差込んで安定させる、あるいは串受け金具不用とするには、串の足元を受止め易くし、なお且つ前記串の囲炉裏内における角度が変化できる様にする必要がある。
【００１１】
囲炉裏利用者の座る床面から炉縁天端までの高さを押さえた低床囲炉裏とし、日本文化特有の囲炉裏の風情を極力損なわない様にする。
【００１２】
本発明の囲炉裏をマンション等の居室に固定式で設置する場合、据付収納深さを小さくする。
【課題を解決するための手段】
【００１３】
軽量の耐火発泡固形断熱基板上に位置する炭火の燃焼火熱は、第一段階としてその大半を上方向へ放熱させ、前記基板の断熱性能により下方向への火熱透過量を減少させる。
【００１４】
耐火発泡固形断熱基板の中央部直下に一部透過した燃焼火熱（下方向への透過到達熱）は、第二段階としてその下の薄鋼板で挟み込んである軽量不燃断熱層で遮断する。なお、底部不燃板と軽量不燃断熱層との間に少し空隙を設け、全面接触を避ける。これは、軽量不燃断熱層をも透過した弱熱を底部不燃板に直接伝導させない様にする為である。この様に底部不燃板に到達するまでの透過熱エネルギーを防御軽減させる。
【００１５】
第三段階として炉縁の歪み防止補強合板の中央部に開口を設けておき、底部不燃板に停滞する微熱を空気の自然対流（ドラフト現象）により解放させ、熱の蓄積を防ぐ。
【００１６】
以上に記載の構成材料を採用する事により囲炉裏全体を軽量にし、移動用キャスターを取付けて囲炉裏全体の移動を容易にする。
【００１７】
耐火発泡固形断熱基板に串差込用として、前記串の囲炉裏内における角度が変化できるのに十分な大きさの孔を複数設け、串焼き時の転倒による食材の破棄（無駄）を無くす。また前記孔内に砂を入れ、その抵抗で食材の重心片よりによる串の自回転を抑え、食材を燃焼火熱に対し串の足元を上下させての角度変化と回転を必要時に与える事で、適度な焼き加減が得られるようにする。
【００１８】
耐火発泡固形断熱基板は、軽量無機質で断熱性が高い性能を持ち、串差込用の孔を容易に空ける事が可能な硬さで、熱膨張収縮による割れ防止金網入り一体型の板材を用いる。
【００１９】
囲炉裏炉縁内は灰と炭火のみが見える事を基本に、耐火発泡固形断熱基板表面を灰で覆い隠ぺいする。
【００２０】
固定式で据付収納深さを浅くするには、囲炉裏の全高を押さえる意外にない。上記構成材料採用を基本に、建造物床部分の構造体段差を小さく出来る様にする。
【発明の効果】
【００２１】
以上で説明したように本発明は、木灰は耐火発泡固形断熱基板を覆い隠せる限度の量とし、耐火発泡固形断熱基板、軽量断熱層とを共に比重の小さい構成材料としてある為、軽量化が可能となり、持ち上げ移動や移動用キャスターでの移動が容易に出来る。また、日本文化特有の掘り込み式囲炉裏の風情に極力近づける為の、低床化が可能となっている。
【００２２】
串焼き時においては、耐火発泡固形断熱基板の串孔を利用し、串の転倒による食材の無駄を無くす事を念頭に、食材を炭の火熱に対し串の足元を上下させ角度の変化と回転を必要時に与え、食材が適度な焼き加減を得る事が出来る。なお、基板の串孔内にある砂の抵抗で、食材の重心片よりによる串の自回転を抑える。前記主旨より、串が安定して自立する様にしている。
【００２３】
囲炉裏をマンション等の居室に固定式で設置する場合、据付収納深さにおいて構造体スラブの段差を浅く出来る為、建築設計条件に関係する階高さ確保の点で立案し易くなる。また、使わない時は蓋をする事で一般の居室床として利用出来る。将来高層住宅等において、固定式囲炉裏の設置需要を期待出来る。
【００２４】
多人数で使用可能な、大型の移動式囲炉裏を制作出来る。串も短くて良く、一定の長さと太さの市販品を利用出来る。
【発明を実施するための最良の形態】
【００２５】
以下、本発明の実施の形態を図面に基づき詳細に説明する。
【実施例１】
【００２６】
図1  本発明囲炉裏の上部平面図の説明。
炉縁1の端部を  固定ネジ（大）14で結合、炉縁保護用耐火材9で炉縁保護までが炉箱としての平面である。炉箱内部に耐火発泡固形断熱基板2の設置、串差込用孔3に立てた串（食材）7、表層灰4、炭火5、五徳6の各部配置平面図である。
【００２７】
図2  断面図の説明。
炉縁1の端部を  固定ネジ14で結合させ、左記炉縁の下端に歪み防止補強合板13を密着させ、炉縁1本体の歪み、変形を防ぐ。底部不燃板11を底板として敷き、炉縁保護用耐火材9を内側面に貼り、炉箱の組み立てを終える。次に、炉箱内部に軽量不燃断熱層10を置く。最後に串孔を設けた耐火発泡固形断熱基板2を重ね、表層灰4で覆い隠ぺいする。
【００２８】
炭火5の燃焼火熱防御は、第一段階として前記の大半を耐火発泡固形断熱基板2で上方向に放熱させ、炉箱内部に対する蓄熱を防ぐ。耐火発泡固形断熱基板2の中央直下に一部透過する下方向の到達熱は、第二段階として軽量不燃断熱層10で遮断弱熱化させ、底部不燃板11を保護する。
【００２９】
耐火発泡固形断熱基板2に串差込用孔3を複数設け、串（食材）7の受けとする。焼く時に足元を上下させながら炭火5の燃焼火熱に対し角度を変える事で、適度な焼き加減を得られる様にしている。焼き上がりの串（食材）8は角度を逆方向に変えて、炭火5より遠ざけている。
【００３０】
図3  部分拡大図の説明。
軽量不燃断熱層10と底部不燃板11との間に空気層12を設け、全面接触を避ける。これは、最終的に到達する弱熱を底部不燃板11に直接伝導させない様にする為である。
【００３１】
図4   底面図の説明。
囲炉裏利用者の座る床面21に移動用キャスター16の高さ分空間があるので、歪み防止補強合板13の中央部に底部不燃板11に停滞する微熱を解放する為の微熱解放用開口15を適宜設けている。これらの構成により本発明の囲炉裏が完成する。
【実施例２】
【００３２】
図5  囲炉裏を居室に固定式で設置した断面図の説明。
（図2の断面図に準ずる）
構造体スラブ19の構造体段差20の平面位置をやや広めにし、底部不燃板11からの微熱を解放し易くする。囲炉裏の炉縁1が、根太21の代わりになる様に高さを調整する。これにより使わない時は床開口部に蓋板18をする事で一般の居室として利用出来る。
【図面の簡単な説明】
【００３３】
【図１】は、上部平面図
【図２】は、中央縦断面図
【図３】は、部分拡大図
【図４】は、移動用キャスター16の取り付け位置と、歪み防止補強合板13、及び弱熱解放用開口15の底面図
【図５】は、図2の断面図に準ずる。囲炉裏を固定式とし、未使用時は蓋板18をはめた断面図。（実施例2）
【符号の説明】
【００３４】
1 炉縁    2 耐火発泡固形断熱基板    3串差込用孔  4 表層灰    5 炭火   6 五徳   7 串（食材）  8 串（食材焼き上り）  9 炉縁保護用耐火材   10 軽量不燃断熱層   11 底部不燃板  12 空気層  13 歪み防止補強合板  14 固定ネジ  15 微熱解放用開口  16 移動用キャスター  17 床面  18 蓋板  19 構造体スラブ  20 構造体段差    21 根太               
【要約】 
【課題】囲炉裏内部に軽量不燃断熱材10と上面に串差込孔を複数設けた耐火発泡固形断熱基板2を設置し、炭火5の燃焼火熱への対処と串（食材）の転倒を防ぐ。囲炉裏の軽量化と合せて低床化により、日本文化特有の囲炉裏の風情に極力近づける。
【解決手段】囲炉裏全体の重量を軽減し移動し易くするには、炉箱内部に軽量不燃断熱材10と耐火発泡固形断熱基板2の設置にて軽量化させ、移動用キャスター16を取付ける。耐火発泡固形断熱基板2の上面に串差込孔を複数設け、串（食材）7を受ける。囲炉裏の外観は、炉縁1と表層灰4と炭火5のみが見える事を基本にする。炭火5の燃焼火熱防御策として、耐火発泡固形断熱基板2で上方向への放断熱を主体とし、前記直下は軽量不燃断熱層10で、下方向への透過熱を遮断する。以上の様に、炉箱内部を軽い構成材料とし、重量と高さを押さえる。
【選択図】図2【図１】
0004061430.tif 000002
【図２】
0004061430.tif 000003
【図３】
0004061430.tif 000004
【図４】
0004061430.tif 000005
【図５】
0004061430.tif 000006